(57)【要約】【課題】出力物の色彩や濃度を測定する測色計の測定値の誤差を適正に管理することで、複数の拠点に設置された出力装置のキャリブレーションを適切に行うことを可能にする測色計測定値管理システム及びその測色計測定値管理方法、色管理情報提供システム及びその色管理情報提供方法を提供する。【解決手段】補正式導出部１ｃは、格納部１ａに格納された基準となる測色計Ｓ０による測色計補正用カラーチャート（以下、チャート）Ｐの測定値（以下、基準値）と受信部１ｂにより受信された測色計Ｓ１〜Ｓ３によるチャートＰの測定値とから、測色計Ｓ１〜Ｓ３による測定値を基準値に近似させる複数の補正式を導出する。選択部１ｄは、それら複数の補正式により補正された測色計Ｓ１〜Ｓ３によるチャートＰの測定値と基準値との差から、それが最小となるものを最も補正精度の良い補正式として選択する。登録部１ｅは、その補正式を登録する。【選択図】      図１
2004354196.tif 000002
【特許請求の範囲】
【請求項１】
拠点毎に配置された複数の測色計の測定値の誤差を把握し、その誤差を補正する補正式を導出することで、前記複数の測色計の測定値の管理を行うための測色計測定値管理システムであって、
前記拠点毎に配置され、前記測色計により測定された色見本の測定値を送信する色見本測定値送信手段を有する複数の端末装置と、
基準となる測色計により測定された前記色見本の測定値を予め基準値として格納する色見本測定値格納手段と、前記色見本測定値送信手段から送信された測定値を受信する色見本測定値受信手段と、前記色見本測定値受信手段により受信された測定値を前記色見本測定値格納手段に格納された基準値に近似させる補正を行う補正式を決定する決定手段と、前記決定手段により決定された補正式を、前記色見本測定値受信手段により受信された測定値を測定した前記測色計の測定値の誤差を補正する補正式として登録する補正式登録手段と、を有する管理サーバーと、を備えたことを特徴とする測色計測定値管理システム。
【請求項２】
前記決定手段は、複数種類の演算手法により、前記色見本測定値受信手段により受信された測定値を前記色見本測定値格納手段に格納された基準値に近似させる補正を行う補正式を複数導出する補正式導出手段と、前記補正式導出手段により導出された複数の補正式に基づき補正された前記色見本測定値受信手段により受信された測定値と、前記色見本測定値格納手段に格納された基準値との差に基づいて、前記補正式導出手段により導出された複数の補正式の中から最も補正精度の高いものを選択して、これを前記色見本測定値受信手段により受信された測定値を前記色見本測定値格納手段に格納された基準値に近似させる補正を行う補正式とする選択手段と、を有することを特徴とする請求項１記載の測色計測定値管理システム。
【請求項３】
前記選択手段は、前記補正式導出手段により導出された複数の補正式に基づき補正された、前記色見本測定値受信手段により受信された測定値と、前記色見本測定値格納手段に格納された基準値との差として、ＣＩＥ  Ｌ＊ａ＊ｂ＊表色系におけるΔＥ＝｛（ΔＬ＊）２＋（Δａ＊）２＋（Δｂ＊）２｝１／２値を、前記複数の補正式毎に求め、その値が最小となるものを、前記最も補正精度の高い補正式として選択することを特徴とする請求項２記載の測色計測定値管理システム。
【請求項４】
前記測定値及び前記基準値は、前記色見本の複数の測定点における測定値であり、前記複数の補正式毎に求められたΔＥ値は、前記複数の測定点毎に求められたものであって、前記選択手段は、前記複数の測定点毎に求められた前記ΔＥ値の平均値が最小となる補正式を、前記最も補正精度の高い補正式として選択することを特徴とする請求項３記載の測色計測定値管理システム。
【請求項５】
前記測定値及び前記基準値は、前記色見本の複数の測定点における測定値であり、前記複数の補正式毎に求められたΔＥ値は、前記複数の測定点毎に求められたものであって、前記選択手段は、前記複数の測定点毎に求められた前記ΔＥ値の最大値が最小となる補正式を、前記最も補正精度の高い補正式として選択することを特徴とする請求項３記載の測色計測定値管理システム。
【請求項６】
前記補正式登録手段は、前記選択手段により選択された補正式を、前記色見本測定値受信手段により受信された測定値と、前記色見本測定値格納手段に格納された基準値とをＸＹＺ表色系におけるＸ、Ｙ、Ｚの三刺激値にて表現するものとして登録することを特徴とする請求項２乃至請求項５の何れか一項に記載の測色計測定値管理システム。
【請求項７】
前記管理サーバーは、前記補正式登録手段により登録された補正式を、前記複数の端末装置の内、該当するものに送信する補正式送信手段をさらに備え、
前記複数の端末装置の各々は、前記補正式送信手段から送信された補正式を受信する補正式受信手段と、前記補正式受信手段により受信された補正式を表示する補正式表示手段と、をさらに備えたことを特徴とする請求項１乃至請求項６の何れか一項に記載の測色計測定値管理システム。
【請求項８】
拠点毎に配置された複数の測色計の測定値の誤差を把握し、その誤差を補正する補正式を導出することで、前記複数の測色計の測定値の管理を行うための測色計測定値管理方法であって、
前記複数の測色計の測定値の管理を行う管理サーバーにて、基準となる測色計により測定された色見本の測定値を予め基準値として格納する色見本測定値格納ステップと、
前記複数の端末装置の各々にて、前記測色計により測定された前記色見本の測定値を送信する色見本測定値送信ステップと、
前記管理サーバーにて、前記色見本測定値送信ステップにおいて送信された測定値を受信する色見本測定値受信ステップと、前記色見本測定値受信ステップにおいて受信された測定値を前記色見本測定値格納ステップにおいて格納された基準値に近似させる補正を行う補正式を決定する決定ステップと、前記決定ステップにおいて決定された補正式を、前記色見本測定値受信ステップにおいて受信された測定値を測定した前記測色計の測定値の誤差を補正する補正式として登録する補正式登録ステップと、を含むことを特徴とする測色計測定値管理方法。
【請求項９】
前記決定ステップは、複数種類の演算手法により、前記色見本測定値受信ステップにおいて受信された測定値を前記色見本測定値格納ステップにおいて格納された基準値に近似させる補正を行う補正式を複数導出する補正式導出ステップと、前記補正式導出ステップにおいて導出された複数の補正式に基づき補正された前記色見本測定値受信ステップにおいて受信された測定値と、前記色見本測定値格納ステップにおいて格納された基準値との差に基づいて、前記補正式導出ステップにおいて導出された複数の補正式の中から最も補正精度の高いものを選択して、これを前記色見本測定値受信ステップにおいて受信された測定値を前記色見本測定値格納ステップにおいて格納された基準値に近似させる補正を行う補正式とする選択ステップと、を含むことを特徴とする請求項８記載の測色計測定値管理方法。
【請求項１０】
前記選択ステップでは、前記補正式導出ステップにおいて導出された複数の補正式に基づき補正された、前記色見本測定値受信ステップにおいて受信された測定値と、前記色見本測定値格納ステップにおいて格納された基準値との差として、ＣＩＥ  Ｌ＊ａ＊ｂ＊表色系におけるΔＥ＝｛（ΔＬ＊）２＋（Δａ＊）２＋（Δｂ＊）２｝１／２値を、前記複数の補正式毎に求め、その値が最小となるものを、前記最も補正精度の高い補正式として選択することを特徴とする請求項９記載の測色計測定値管理方法。
【請求項１１】
前記測定値及び前記基準値は、前記色見本の複数の測定点における測定値であり、前記複数の補正式毎に求められたΔＥ値は、前記複数の測定点毎に求められたものであって、前記選択ステップでは、前記複数の測定点毎に求められた前記ΔＥ値の平均値が最小となる補正式を、前記最も補正精度の高い補正式として選択することを特徴とする請求項１０記載の測色計測定値管理方法。
【請求項１２】
前記測定値及び前記基準値は、前記色見本の複数の測定点における測定値であり、前記複数の補正式毎に求められたΔＥ値は、前記複数の測定点毎に求められたものであって、前記選択ステップでは、前記複数の測定点毎に求められた前記ΔＥ値の最大値が最小となる補正式を、前記最も補正精度の高い補正式として選択することを特徴とする請求項１０記載の測色計測定値管理方法。
【請求項１３】
前記補正式登録ステップでは、前記選択ステップにおいて選択された補正式を、前記色見本測定値受信ステップにおいて受信された測定値と、前記色見本測定値格納ステップにおいて格納された基準値とをＸＹＺ表色系におけるＸ、Ｙ、Ｚの三刺激値にて表現するものとして登録することを特徴とする請求項９乃至請求項１２の何れか一項に記載の測色計測定値管理方法。
【請求項１４】
前記管理サーバーにて、前記補正式登録ステップにおいて登録された補正式を、前記複数の端末装置の内、該当するものに送信する補正式送信ステップと、
前記複数の端末装置の各々にて、前記補正式送信ステップにおいて送信された補正式を受信する補正式受信ステップと、前記補正式受信ステップにおいて受信された補正式を表示する補正式表示ステップと、をさらに含むことを特徴とする請求項８乃至請求項１３の何れか一項に記載の測色計測定値管理方法。
【請求項１５】
拠点毎に設置された複数の画像出力装置のキャリブレーションを行うべく、前記拠点毎に配置され、前記画像出力装置から出力される出力物の測定を行う複数の測色計の測定値の誤差を把握し、その誤差を補正する補正式を導出して、その補正式により前記画像出力装置から出力される出力物の前記測色計による測定値を補正して、その補正された測定値に基づいて、前記画像出力装置から出力される出力物の前記測色計による測定値の前記各拠点間での誤差を算出して、これを提供する色管理情報提供システムであって、
前記拠点毎に配置され、前記測色計により測定された前記出力物の測定値を送信する出力物測定値送信手段と、前記測色計により測定された色見本の測定値を送信する色見本測定値送信手段と、を有する複数の端末装置と、
基準となる測色計により測定された前記出力物の測定値を予め基準値として格納する出力物測定値格納手段と、前記基準となる測色計により測定された前記色見本の測定値を予め基準値として格納する色見本測定値格納手段と、前記出力物測定値送信手段から送信された測定値を受信する出力物測定値受信手段と、前記色見本測定値送信手段から送信された測定値を受信する色見本測定値受信手段と、前記色見本測定値受信手段により受信された測定値を前記色見本測定値格納手段に格納された基準値に近似させる補正を行う補正式を決定する決定手段と、前記決定手段により決定された補正式を、前記色見本測定値受信手段により受信された測定値を測定した前記測色計の測定値の誤差を補正する補正式として登録する補正式登録手段と、前記補正式登録手段により登録された補正式に基づき補正された前記出力物測定値受信手段により受信された測定値と、前記出力物測定値格納手段に格納された基準値との誤差を算出する算出手段と、前記算出手段により算出された誤差を、前記出力物測定値受信手段により受信された測定値の対象となった前記出力物の前記測色計による測定値の前記各拠点間での誤差として登録する誤差登録手段と、を有する管理サーバーと、を備えたことを特徴とする色管理情報提供システム。
【請求項１６】
前記決定手段は、複数種類の演算手法により、前記色見本測定値受信手段により受信された測定値を前記色見本測定値格納手段に格納された基準値に近似させる補正を行う補正式を複数導出する補正式導出手段と、前記補正式導出手段により導出された複数の補正式に基づき補正された前記色見本測定値受信手段により受信された測定値と、前記色見本測定値格納手段に格納された基準値との差に基づいて、前記補正式導出手段により導出された複数の補正式の中から最も補正精度の高いものを選択して、これを前記色見本測定値受信手段により受信された測定値を前記色見本測定値格納手段に格納された基準値に近似させる補正を行う補正式とする選択手段と、を有することを特徴とする請求項１５記載の色管理情報提供システム。
【請求項１７】
前記選択手段は、前記補正式導出手段により導出された複数の補正式に基づき補正された、前記色見本測定値受信手段により受信された測定値と、前記色見本測定値格納手段に格納された基準値との差として、ＣＩＥ  Ｌ＊ａ＊ｂ＊表色系におけるΔＥ＝｛（ΔＬ＊）２＋（Δａ＊）２＋（Δｂ＊）２｝１／２値を、前記複数の補正式毎に求め、その値が最小となるものを、前記最も補正精度の高い補正式として選択することを特徴とする請求項１６記載の色管理情報提供システム。
【請求項１８】
前記測定値及び前記基準値は、前記色見本の複数の測定点における測定値であり、前記複数の補正式毎に求められたΔＥ値は、前記複数の測定点毎に求められたものであって、前記選択手段は、前記複数の測定点毎に求められた前記ΔＥ値の平均値が最小となる補正式を、前記最も補正精度の高い補正式として選択することを特徴とする請求項１７記載の色管理情報提供システム。
【請求項１９】
前記測定値及び前記基準値は、前記色見本の複数の測定点における測定値であり、前記複数の補正式毎に求められたΔＥ値は、前記複数の測定点毎に求められたものであって、前記選択手段は、前記複数の測定点毎に求められた前記ΔＥ値の最大値が最小となる補正式を、前記最も補正精度の高い補正式として選択することを特徴とする請求項１７記載の色管理情報提供システム。
【請求項２０】
前記補正式登録手段は、前記選択手段により選択された補正式を、前記色見本測定値受信手段により受信された測定値と、前記色見本測定値格納手段に格納された基準値とをＸＹＺ表色系におけるＸ、Ｙ、Ｚの三刺激値にて表現するものとして登録することを特徴とする請求項１６乃至請求項１９の何れか一項に記載の色管理情報提供システム。
【請求項２１】
前記管理サーバーは、前記補正式登録手段により登録された補正式を、前記複数の端末装置の内、該当するものに送信する補正式送信手段をさらに備え、
前記複数の端末装置の各々は、前記補正式送信手段から送信された補正式を受信する補正式受信手段と、前記補正式受信手段により受信された補正式を表示する補正式表示手段と、をさらに備えたことを特徴とする請求項１５乃至請求項２１の何れか一項に記載の色管理情報提供システム。
【請求項２２】
前記管理サーバーは、前記誤差登録手段により登録された誤差を、前記複数の端末装置の内、該当するものに送信する誤差送信手段をさらに備え、
前記複数の端末装置の各々は、前記誤差送信手段から送信された誤差を受信する誤差受信手段と、前記誤差受信手段により受信された誤差を表示する誤差表示手段と、をさらに備えたことを特徴とする請求項１５乃至請求項２１の何れか一項に記載の色管理情報提供システム。
【請求項２３】
拠点毎に設置された複数の画像出力装置のキャリブレーションを行うべく、前記拠点毎に配置され、前記画像出力装置から出力される出力物の測定を行う複数の測色計の測定値の誤差を把握し、その誤差を補正する補正式を導出して、その補正式により前記画像出力装置から出力される出力物の前記測色計による測定値を補正して、その補正された測定値に基づいて、前記画像出力装置から出力される出力物の前記測色計による測定値の前記各拠点間での誤差を算出して、これを提供する色管理情報提供方法であって、
前記測色計による測定値の前記各拠点間での誤差を提供する管理サーバーにて、基準となる測色計により測定された前記出力物の測定値を予め基準値として格納する出力物測定値格納ステップと、前記基準となる測色計により測定された色見本の測定値を予め基準値として格納する色見本測定値格納ステップと、
前記複数の端末装置の各々にて、前記測色計により測定された前記色見本の測定値を送信する色見本測定値送信ステップと、
前記管理サーバーにて、前記色見本測定値送信ステップにおいて送信された測定値を受信する色見本測定値受信ステップと、前記色見本測定値受信ステップにおいて受信された測定値を前記色見本測定値格納ステップにおいて格納された基準値に近似させる補正を行う補正式を決定する決定ステップと、前記決定ステップにおいて決定された補正式を、前記色見本測定値受信ステップにおいて受信された測定値を測定した前記測色計の測定値の誤差を補正する補正式として登録する補正式登録ステップと、
前記複数の端末装置の各々において、前記測色計により測定された前記出力物の測定値を送信する出力物測定値送信ステップと、
前記管理サーバーにおいて、前記出力物測定値送信ステップにおいて送信された測定値を受信する出力物測定値受信ステップと、前記補正式登録ステップにおいて登録された補正式に基づき補正された前記出力物測定値受信ステップにおいて受信された測定値と、前記出力物測定値格納ステップにおいて格納された基準値との誤差を算出する算出ステップと、前記算出ステップにおいて算出された誤差を、前記出力物測定値受信手段により受信された測定値の対象となった前記出力物の前記測色計による測定値の前記各拠点間での誤差として登録する誤差登録ステップと、を含むことを特徴とする色管理情報提供方法。
【請求項２４】
前記決定ステップは、複数種類の演算手法により、前記色見本測定値受信ステップにおいて受信された測定値を前記色見本測定値格納ステップにおいて格納された基準値に近似させる補正を行う補正式を複数導出する補正式導出ステップと、前記補正式導出ステップにおいて導出された複数の補正式に基づき補正された前記色見本測定値受信ステップにおいて受信された測定値と、前記色見本測定値格納ステップにおいて格納された基準値との差に基づいて、前記補正式導出ステップにおいて導出された複数の補正式の中から最も補正精度の高いものを選択して、これを前記色見本測定値受信ステップにおいて受信された測定値を前記色見本測定値格納ステップにおいて格納された基準値に近似させる補正を行う補正式とする選択ステップと、を含むことを特徴とする請求項２３記載の色管理情報提供方法。
【請求項２５】
前記選択ステップでは、前記補正式導出ステップにおいて導出された複数の補正式に基づき補正された、前記色見本測定値受信ステップにおいて受信された測定値と、前記色見本測定値格納ステップにおいて格納された基準値との差として、ＣＩＥ  Ｌ＊ａ＊ｂ＊表色系におけるΔＥ＝｛（ΔＬ＊）２＋（Δａ＊）２＋（Δｂ＊）２｝１／２値を、前記複数の補正式毎に求め、その値が最小となるものを、前記最も補正精度の高い補正式として選択することを特徴とする請求項２４記載の色管理情報提供方法。
【請求項２６】
前記測定値及び前記基準値は、前記色見本の複数の測定点における測定値であり、前記複数の補正式毎に求められたΔＥ値は、前記複数の測定点毎に求められたものであって、前記選択ステップでは、前記複数の測定点毎に求められた前記ΔＥ値の平均値が最小となる補正式を、前記最も補正精度の高い補正式として選択することを特徴とする請求項２５記載の色管理情報提供方法。
【請求項２７】
前記測定値及び前記基準値は、前記色見本の複数の測定点における測定値であり、前記複数の補正式毎に求められたΔＥ値は、前記複数の測定点毎に求められたものであって、前記選択ステップでは、前記複数の測定点毎に求められた前記ΔＥ値の最大値が最小となる補正式を、前記最も補正精度の高い補正式として選択することを特徴とする請求項２５記載の色管理情報提供方法。
【請求項２８】
前記補正式登録ステップでは、前記選択ステップにおいて選択された補正式を、前記色見本測定値受信ステップにおいて受信された測定値と、前記色見本測定値格納ステップにおいて格納された基準値とをＸＹＺ表色系におけるＸ、Ｙ、Ｚの三刺激値にて表現するものとして登録することを特徴とする請求項２４乃至請求項２７の何れか一項に記載の色管理情報提供方法。
【請求項２９】
前記管理サーバーにて、前記補正式登録ステップにおいて登録された補正式を、前記複数の端末装置の内、該当するものに送信する補正式送信ステップと、
前記複数の端末装置の各々にて、前記補正式送信ステップにおいて送信された補正式を受信する補正式受信ステップと、前記補正式受信ステップにおいて受信された補正式を表示する補正式表示ステップと、をさらに含むことを特徴とする請求項２３乃至請求項２８の何れか一項に記載の色管理情報提供方法。
【請求項３０】
前記管理サーバーにて、前記誤差登録ステップにおいて登録された誤差を、前記複数の端末装置の内、該当するものに送信する誤差送信ステップと、
前記複数の端末装置の各々にて、前記誤差送信ステップにおいて送信された誤差を受信する誤差受信ステップと、前記誤差受信ステップにおいて受信された誤差を表示する誤差表示ステップと、をさらに含むことを特徴とする請求項２３乃至請求項２９の何れか一項に記載の色管理情報提供方法。
【発明の詳細な説明】
【０００１】
【発明の属する技術分野】
本発明は、拠点毎に配置された複数の測色計の測定値の誤差を把握し、その誤差を補正する補正式を導出することで、前記複数の測色計の測定値の管理を行うための測色計測定値管理システム及びその測色計測定値管理方法と、拠点毎に設置された複数の画像出力装置のキャリブレーションを行うべく、前記拠点毎に配置され、前記画像出力装置から出力される出力物の測定を行う複数の測色計の測定値の誤差を把握し、その誤差を補正する補正式を導出して、その補正式により前記画像出力装置から出力される出力物の前記測色計による測定値を補正して、その補正された測定値に基づいて、前記画像出力装置から出力される出力物の前記測色計による測定値の前記各拠点間での誤差を算出して、これを色管理情報として提供する色管理情報提供システム及びその色管理情報提供方法に関する。
【０００２】
【従来の技術】
例えば、印刷物の仕上がりを事前に確認するためにカラープルーフを出力するカラープルーフ作成装置等の出力装置においては、出力されるカラープルーフの色校正を行う目的で、遠隔地にある複数の拠点に設置された出力装置において同一の出力物を出力することが要求されることがある。
【０００３】
このような場合には、各拠点において出力装置から出力される出力物の色彩や濃度を一致させるべく、これら出力装置のキャリブレーションを行う必要が生じる。
【０００４】
具体的には、この際、各拠点においては、出力装置から出力される出力物の色彩や濃度（例えば、ＣＩＥ  Ｌ＊ａ＊ｂ＊表色系におけるＬ＊、ａ＊、ｂ＊値や、ＸＹＺ表色系におけるＸ、Ｙ、Ｚの三刺激値）を測色計（例えば、色差計）により測定して、その測定値に基づいて、出力物の色彩や濃度を基準値に近似させるように出力装置を調整する作業が行われる。
【０００５】
しかしながら、各拠点においては、通常、別個の測色計が使用されるために、例えば測色計の機種や製造元等が異なる場合には、これら機種や製品等の違いにより、その測定値が必ずしも一致しないという問題が生じる。因みに、このように異なる機種の測色計間において、その測定値の誤差を補正する手法については、これまでにも様々な提案が成されているが（例えば、特許文献１参照）、何れにしても、各拠点においては、測色計の機種や製品に応じた調整作業を行う必要が生じ、大変な手間がかかることになる。
【０００６】
また、各拠点において、同一機種の測色計を使用する場合であっても、当該測色計に備えられたフィルタの違いや、当該測色計におけるモード等の設定の違いから、同様に、その測定値が必ずしも一致しないという問題が生じる。因みに、このような場合には、上述のように異なる機種の測色計間において、その測定値の誤差を補正する手法によっては、これを解消することは困難である。
【０００７】
【特許文献１】
特開平１１−１３２８４９号公報
（段落〔００１５〕‐〔００５０〕、第１図乃至第５図）
【０００８】
【発明が解決しようとする課題】
即ち、このような状況の下、各拠点において、出力装置から出力される出力物の色彩や濃度を測色計により測定して、その測定値を基に出力装置の調整を行っても、測色計の測定値の誤差は適正に補正されていないために、出力装置のキャリブレーションを適正に行うことは困難であった。
【０００９】
本発明は、上記事情に鑑みてなされたものであり、その目的とするところは、拠点毎に配置された複数の測色計の測定値の誤差を把握し、その誤差を補正する補正式を導出することで、前記複数の測色計の測定値の管理を適正に行うことができる測色計測定値管理システム及びその測色計測定値管理方法と、拠点毎に設置された複数の画像出力装置のキャリブレーションを行うべく、前記拠点毎に配置され、前記画像出力装置から出力される出力物の測定を行う複数の測色計の測定値の誤差を把握し、その誤差を補正する補正式を導出して、その補正式により前記画像出力装置から出力される出力物の前記測色計による測定値を補正して、その補正された測定値に基づいて、前記画像出力装置から出力される出力物の前記測色計による測定値の前記各拠点間での誤差を算出して、これを色管理情報として提供することで、拠点毎に設置された複数の画像出力装置のキャリブレーションを適正に行うことを可能にする色管理情報提供システム及びその色管理情報提供方法を提供することにある。
【００１０】
【課題を解決するための手段】
上記課題を解決するために、請求項１記載の発明は、拠点毎に配置された複数の測色計の測定値の誤差を把握し、その誤差を補正する補正式を導出することで、前記複数の測色計の測定値の管理を行うための測色計測定値管理システムであって、前記拠点毎に配置され、前記測色計により測定された色見本の測定値を送信する色見本測定値送信手段を有する複数の端末装置と、基準となる測色計により測定された前記色見本の測定値を予め基準値として格納する色見本測定値格納手段と、前記色見本測定値送信手段から送信された測定値を受信する色見本測定値受信手段と、前記色見本測定値受信手段により受信された測定値を前記色見本測定値格納手段に格納された基準値に近似させる補正を行う補正式を決定する決定手段と、前記決定手段により決定された補正式を、前記色見本測定値受信手段により受信された測定値を測定した前記測色計の測定値の誤差を補正する補正式として登録する補正式登録手段と、を有する管理サーバーと、を備えたことを特徴とする。
【００１１】
上記課題を解決するために、請求項８記載の発明は、拠点毎に配置された複数の測色計の測定値の誤差を把握し、その誤差を補正する補正式を導出することで、前記複数の測色計の測定値の管理を行うための測色計測定値管理方法であって、前記複数の測色計の測定値の管理を行う管理サーバーにて、基準となる測色計により測定された色見本の測定値を予め基準値として格納する色見本測定値格納ステップと、前記複数の端末装置の各々にて、前記測色計により測定された前記色見本の測定値を送信する色見本測定値送信ステップと、前記管理サーバーにて、前記色見本測定値送信ステップにおいて送信された測定値を受信する色見本測定値受信ステップと、前記色見本測定値受信ステップにおいて受信された測定値を前記色見本測定値格納ステップにおいて格納された基準値に近似させる補正を行う補正式を決定する決定ステップと、前記決定ステップにおいて決定された補正式を、前記色見本測定値受信ステップにおいて受信された測定値を測定した前記測色計の測定値の誤差を補正する補正式として登録する補正式登録ステップと、を含むことを特徴とする。
【００１２】
上記課題を解決するために、請求項１５記載の発明は、拠点毎に設置された複数の画像出力装置のキャリブレーションを行うべく、前記拠点毎に配置され、前記画像出力装置から出力される出力物の測定を行う複数の測色計の測定値の誤差を把握し、その誤差を補正する補正式を導出して、その補正式により前記画像出力装置から出力される出力物の前記測色計による測定値を補正して、その補正された測定値に基づいて、前記画像出力装置から出力される出力物の前記測色計による測定値の前記各拠点間での誤差を算出して、これを提供する色管理情報提供システムであって、前記拠点毎に配置され、前記測色計により測定された前記出力物の測定値を送信する出力物測定値送信手段と、前記測色計により測定された色見本の測定値を送信する色見本測定値送信手段と、を有する複数の端末装置と、基準となる測色計により測定された前記出力物の測定値を予め基準値として格納する出力物測定値格納手段と、前記基準となる測色計により測定された前記色見本の測定値を予め基準値として格納する色見本測定値格納手段と、前記出力物測定値送信手段から送信された測定値を受信する出力物測定値受信手段と、前記色見本測定値送信手段から送信された測定値を受信する色見本測定値受信手段と、前記色見本測定値受信手段により受信された測定値を前記色見本測定値格納手段に格納された基準値に近似させる補正を行う補正式を決定する決定手段と、前記決定手段により決定された補正式を、前記色見本測定値受信手段により受信された測定値を測定した前記測色計の測定値の誤差を補正する補正式として登録する補正式登録手段と、前記補正式登録手段により登録された補正式に基づき補正された前記出力物測定値受信手段により受信された測定値と、前記出力物測定値格納手段に格納された基準値との誤差を算出する算出手段と、前記算出手段により算出された誤差を、前記出力物測定値受信手段により受信された測定値の対象となった前記出力物の前記測色計による測定値の前記各拠点間での誤差として登録する誤差登録手段と、を有する管理サーバーと、を備えたことを特徴とする。
【００１３】
上記課題を解決するために、請求項２３記載の発明は、拠点毎に設置された複数の画像出力装置のキャリブレーションを行うべく、前記拠点毎に配置され、前記画像出力装置から出力される出力物の測定を行う複数の測色計の測定値の誤差を把握し、その誤差を補正する補正式を導出して、その補正式により前記画像出力装置から出力される出力物の前記測色計による測定値を補正して、その補正された測定値に基づいて、前記画像出力装置から出力される出力物の前記測色計による測定値の前記各拠点間での誤差を算出して、これを提供する色管理情報提供方法であって、前記測色計による測定値の前記各拠点間での誤差を提供する管理サーバーにて、基準となる測色計により測定された前記出力物の測定値を予め基準値として格納する出力物測定値格納ステップと、前記基準となる測色計により測定された色見本の測定値を予め基準値として格納する色見本測定値格納ステップと、前記複数の端末装置の各々にて、前記測色計により測定された前記色見本の測定値を送信する色見本測定値送信ステップと、前記管理サーバーにて、前記色見本測定値送信ステップにおいて送信された測定値を受信する色見本測定値受信ステップと、前記色見本測定値受信ステップにおいて受信された測定値を前記色見本測定値格納ステップにおいて格納された基準値に近似させる補正を行う補正式を決定する決定ステップと、前記決定ステップにおいて決定された補正式を、前記色見本測定値受信ステップにおいて受信された測定値を測定した前記測色計の測定値の誤差を補正する補正式として登録する補正式登録ステップと、前記複数の端末装置の各々において、前記測色計により測定された前記出力物の測定値を送信する出力物測定値送信ステップと、前記管理サーバーにおいて、前記出力物測定値送信ステップにおいて送信された測定値を受信する出力物測定値受信ステップと、前記補正式登録ステップにおいて登録された補正式に基づき補正された前記出力物測定値受信ステップにおいて受信された測定値と、前記出力物測定値格納ステップにおいて格納された基準値との誤差を算出する算出ステップと、前記算出ステップにおいて算出された誤差を、前記出力物測定値受信手段により受信された測定値の対象となった前記出力物の前記測色計による測定値の前記各拠点間での誤差として登録する誤差登録ステップと、を含むことを特徴とする。
【００１４】
【発明の実施の形態】
以下、本発明に係る測色計測定値管理システム及びその測色計測定値管理方法、色管理情報提供システム及びその色管理情報提供方法の好適な一実施形態について、図面を参照しながら具体的に説明する。尚、本発明に係る色管理情報提供システム及びその色管理情報提供方法は、本発明に係る測色計測定値管理システム及びその測色計測定値管理方法を包含するもの（具体的には、後述する管理サーバー１における本発明の「出力物測定値格納手段」としての格納部１ａ、本発明の「出力物測定値受信手段」としての受信部１ｂ、本発明の「誤差送信手段」としての送信部１ｆ、本発明の「誤差登録手段」としての登録部１ｅ、算出部１ｇと、後述する端末装置２ａにおける本発明の「出力物測定値送信手段」としての送信部２ａｂ、本発明の「誤差受信手段」としての受信部２ａｃ、本発明の「誤差表示手段」としての表示部２ａｄが追加され、また、後述する〔出力物測定値送信ステップ〕〜〔誤差表示ステップ〕までが追加されたもの）であるため、以下においては、本発明に係る色管理情報提供システム及びその色管理情報提供方法について説明する。
【００１５】
［色管理情報提供システムの構成］
まず、本実施形態における色管理情報提供システムの構成について、図面を参照しながら詳細に説明する。
【００１６】
（色管理情報提供システムの概略構成）
図１に、当該色管理情報提供システムのシステム構成を示す。図１に示すように、当該色管理情報提供システムは、遠隔地にある複数の拠点毎に設置された出力装置Ｃ１〜Ｃ３から出力される出力物の色彩や濃度をそれぞれ測定する測色計Ｓ１〜Ｓ３間の測定値の誤差、より詳細には、測色計Ｓ１〜Ｓ３による測定値と基準となる測色計Ｓ０による測定値との誤差を管理すると共に、その誤差を補正する補正式を導出して、その補正式により出力装置Ｃ１〜Ｃ３から出力される出力物の測色計Ｓ１〜Ｓ３による測定値を補正して、その補正された測定値に基づいて、出力装置Ｃ１〜Ｃ３から出力される出力物の測色計Ｓ１〜Ｓ３による測定値の各出力装置Ｃ１〜Ｃ３間での誤差を算出して、これを色管理情報として提供する管理サーバー１と、測色計Ｓ１〜Ｓ３のそれぞれに対応して配置され、測色計Ｓ１〜Ｓ３の測定値を管理サーバー１に送信すると共に、上述した出力装置Ｃ１〜Ｃ３から出力される出力物の測色計Ｓ１〜Ｓ３による測定値の各出力装置Ｃ１〜Ｃ３間での誤差に関する情報を受信する複数の端末装置２ａ〜２ｃと、を含み構成される。
【００１７】
尚、端末装置２ａ〜２ｃは、測色計Ｓ１〜Ｓ３の個数に応じて任意の個数が配置されて良い。また、出力装置Ｃ１〜Ｃ３や測色計Ｓ１〜Ｓ３は、互いに異なる製品や機種であっても良い。また、出力装置Ｃ１〜Ｃ３は、カラープルーフ作成装置の他にも、プリンタ、複写機等の色彩や濃度の調整が可能な出力装置であれば良い。
【００１８】
（管理サーバーの詳細構成）
ここで、管理サーバー１の詳細構成について説明する。管理サーバー１は、所謂、コンピュータ端末であって、モニタ等の表示手段と、キーボードやマウス等の入力手段と、サーバーを含む装置本体と、を備えている。さらに、この装置本体は、基準となる測色計Ｓ０により測定された、出力装置Ｃ１〜Ｃ３から出力された出力物（本発明の「出力物」に対応し、以下、ターゲットと称する）及び測色計補正用カラーチャート（本発明の「色見本」に対応する）Ｐの色彩や濃度に関する測定値を予め基準値として格納する格納部１ａと、端末装置２ａ〜２ｃから送信された測色計Ｓ１〜Ｓ３によるターゲット及び測色計補正用カラーチャートＰの色彩や濃度に関する測定値を受信する受信部１ｂと、複数種類の演算手法により、この受信部１ｂにより受信された測色計Ｓ１〜Ｓ３による測色計補正用カラーチャートＰの色彩や濃度に関する測定値を、格納部１ａに格納された測色計補正用カラーチャートＰの色彩や濃度に関する基準値に近似させる補正を行うための補正式を複数導出する補正式導出部１ｃと、この補正式導出部１ｃにより導出された複数の補正式に基づき補正された測色計Ｓ１〜Ｓ３による測色計補正用カラーチャートＰの色彩や濃度に関する測定値と格納部１ａに格納された測色計補正用カラーチャートＰの色彩や濃度に関する基準値との差に基づいて、補正式導出部１ｃにより導出された複数の補正式の中から最も補正精度が高いものを選択する選択部１ｄと、この選択部１ｄにより選択された補正式に基づき補正された測色計Ｓ１〜Ｓ３によるターゲットの色彩や濃度に関する測定値と格納部１ａに格納されたターゲットの色彩や濃度に関する基準値との誤差を算出する算出部１ｇと、選択部１ｄにより選択された最も補正精度が高い補正式及び算出部１ｇにより算出された誤差を登録する登録部１ｅと、この登録部１ｅに登録された最も補正精度が高い補正式に関する情報及び誤差に関する情報を端末装置２ａ〜２ｃに送信する送信部１ｆと、を含み構成されている。
【００１９】
尚、格納部１ａは、メモリ等の記憶手段により構成され、本発明の「色見本測定値格納手段」及び「出力物測定値格納手段」に対応する。また、受信部１ｂ及び送信部１ｆは、ネットワークＩ／Ｆにより構成され、各々、本発明の「色見本測定値受信手段」及び「出力物測定値受信手段」、「補正式送信手段」及び「誤差送信手段」に対応する。また、補正式導出部１ｃ、選択部１ｄ、登録部１ｅ、算出部１ｇは、ＣＰＵ等の演算手段とメモリ等の記憶手段により構成され、各々、ＣＰＵ等の演算手段がメモリ等の記憶手段に格納された所定の演算プログラムを実行することで、後述する処理を行う。これらは、各々、本発明の「補正式導出手段」、「選択手段」、「補正式登録手段」及び「誤差登録手段」、「算出手段」に対応する。因みに、補正式導出部１ｃ及び選択部１ｄで、本発明の「決定手段」を構成する。
【００２０】
（測色計補正用カラーチャートの構成）
ここで、上述した測色計補正用カラーチャートＰの構成について説明する。測色計補正用カラーチャートＰは、本発明の「色見本」に対応するものであって、具体的には、図２に示すように、例えばＣ、Ｍ、Ｙ、Ｋの４色を各々多階調にて重ね合わせたものが規則的に配置され、これらが複数の測定点を構成する。即ち、基準となる測色計Ｓ０や測色計Ｓ１〜Ｓ３においては、互いに、同様の測定点を同様の測定順にて測定することとなる。因みに、同図に示すＣ、Ｍ、Ｙ、Ｋの数値は、各色を２５５段階の階調に分けた場合の段階値を示している。尚、当該測色計補正用カラーチャートＰは、経時的な色変動の少ない熱溶融型のハイエンドＤＤＣＰ（Ｄｉｒｅｃｔ  Ｄｉｇｉｔａｌ  Ｃｏｌｏｒ  Ｐｒｏｏｆの略で、デジタルデータを高精度のプリンタに直接出力するシステム）により作成されることが好ましい。
【００２１】
（端末装置の詳細構成）
ここで、端末装置２ａ〜２ｃの詳細構成について説明する。但し、当該端末装置２ａ〜２ｃは、何れも同様の構成となっているため、以下においては、端末装置２ａを例に採り説明を行う。
【００２２】
端末装置２ａは、所謂、コンピュータ端末であって、測色計Ｓ１によるターゲット及び測色計補正用カラーチャートＰの色彩や濃度に関する測定値を入力するための入力部２ａａと、この入力部２ａａによって入力された測色計Ｓ１の測定値を、ネットワークＮを介して管理サーバー１へ送信する送信部２ａｂと、管理サーバー１の送信部１ｆから送信された、最も補正精度が高い補正式に関する情報及び誤差（管理サーバー１の算出部１ｇにより算出された、選択部１ｄにより選択された補正式に基づき補正された測色計Ｓ１〜Ｓ３によるターゲットの色彩や濃度に関する測定値と格納部１ａに格納されたターゲットの色彩や濃度に関する基準値との誤差）に関する情報を受信する受信部２ａｃと、この受信部２ａｃにより受信された最も補正精度が高い補正式に関する情報及び誤差に関する情報を表示する表示部２ａｄと、を含み構成されている。
【００２３】
尚、入力部２ａａは、キーボードやマウス等の入力手段により構成される。また、送信部２ａｂ及び受信部２ａｃは、ネットワークＩ／Ｆにより構成され、各々、本発明の「色見本測定値送信手段」及び「出力物測定値送信手段」、「補正式受信手段」及び「誤差受信手段」に対応する。また、表示部２ａｄは、モニタ等の表示手段により構成され、本発明の「補正式表示手段」及び「誤差表示手段」に対応する。
【００２４】
尚、端末装置２ａと測色計Ｓ１とは、通信ケーブル等の通信手段を介して接続可能に構成されている。
【００２５】
［色管理情報提供システムの色管理方法］
ここで、上述した当該色管理情報提供システムにおいて行われる色管理情報提供方法について、図３、図４及び図７に示すフローチャートの流れに沿って説明する。但し、以下においては、測色計Ｓ１に関する測定値の補正を行う場合を例に挙げて説明を行う。
【００２６】
〔出力物測定値格納ステップ〕
図３に示すように、まず、当該測色計測定値管理システムを統括して管理する管理者は、ターゲットを登録する作業を行う。具体的には、そのターゲットに対する測定点の位置や、その測定順に関する情報を、管理サーバー１において、キーボードやマウス等の入力手段により入力する（Ｓ０１）。尚、此処に言う“ターゲット”とは、色調を調整する対象となる画像、即ち、印刷物において印刷される画像を出力装置Ｃ１〜Ｃ３により出力した出力物のことを指す。当該ターゲットは、出力装置Ｃ１〜Ｃ３毎に、ユーザから独自のものが送付されることとする他、予め、出力装置Ｃ１〜Ｃ３毎に、標準となるターゲットを用意しておき、これを用いることにしても良い。
【００２７】
次に、管理者は、この入力した測定点の位置や測定順に従って、ターゲットの色彩や濃度を基準となる測色計Ｓ０により測定する（Ｓ０２）。
【００２８】
次に、管理者は、この基準となる測色計Ｓ０により測定されたターゲットの色彩や濃度の測定値を、管理サーバー１において、キーボードやマウス等の入力手段、又は、測定値の格納されたファイルの登録により入力する。これにより、ターゲットの色彩や濃度の測定値は、その測定点の位置や、測定順に関する情報と共に、格納部１ａに基準値として格納される（Ｓ０３）。
【００２９】
〔色見本測定値格納ステップ〕
図４に示すように、次に、管理者は、上述した測色計補正用カラーチャートＰの色彩や濃度を、所定の測定点の位置や測定順に従って、基準となる測色計Ｓ０により測定する（Ｓ０４）。
【００３０】
次に、管理者は、この基準となる測色計Ｓ０により測定された測色計補正用カラーチャートＰの色彩や濃度の測定値を、管理サーバー１において、キーボードやマウス等の入力手段、又は、測定値の格納されたファイルの登録により入力する。但し、この際、測色計補正用カラーチャートＰに対する測定点の位置や、その測定順に関する情報も入力する。これにより、測色計補正用カラーチャートＰの色彩や濃度の測定値は、その測定点の位置や、測定順に関する情報と共に、格納部１ａに基準値として格納される（Ｓ０５）。
【００３１】
〔色見本測定値送信ステップ〕
一方、当該測色計測定値管理システムを利用するユーザは、端末装置２ａにおいて、測色計Ｓ１による測定値を登録する作業を行う。具体的には、まず、ユーザは、端末装置２ａから管理サーバー１にアクセスすることで、例えばＷｅｂ上の所定のサイトに表示される画面にて、所定の事項、具体的には、測色計Ｓ１の測定対象物である測色計補正用カラーチャートＰの郵送先に関する情報（送り先人の住所、氏名、電話番号等）等を入力する。
【００３２】
一方、管理者は、管理サーバー１において、上述したＷｅｂ上の所定のサイトに表示される画面にて、それらの所定の事項を確認して、指定された郵送先に測色計補正用カラーチャートＰを郵送する作業を行う。この際、当該測色計補正用カラーチャートＰの返送先に関する情報（返送先人の住所、氏名、電話番号等）を紙面等により通知する。
【００３３】
一方、ユーザは、測色計補正用カラーチャートＰが到着すると、測色計Ｓ１と端末装置２ａとを通信ケーブル等の通信手段により接続した上で、端末装置２ａから管理サーバー１にアクセスして、上述したＷｅｂ上の所定のサイトに表示される画面にて、所定の測定ツールをダウンロードする作業を行う。尚、この所定の測定ツールとは、測色計Ｓ０により測色計補正用カラーチャートＰの色彩や濃度の測定が行われた際の、当該測色計補正用カラーチャートＰの測定点や測定順に関する情報や、その測定値の送信先が規定された情報等を含むものであって、当該測定ツールは、端末装置２ａを介して測色計Ｓ１に伝達されて、測色計Ｓ１においては、測色計Ｓ０により測色計補正用カラーチャートＰの色彩や濃度の測定が行われた際と同様の測定点を同様の測定順にて測定する（Ｓ０６）。尚、この測定ツールに含まれる情報は、紙面等により通知されて、ユーザが、端末装置２ａ若しくは測色計Ｓ１において、マニュアル操作にて入力することとしても良い。
【００３４】
このようにして、測色計Ｓ１により測色計補正用カラーチャートＰの色彩や濃度が測定されると、さらに、ユーザは、端末装置２ａから管理サーバー１にアクセスすることで、上述したＷｅｂ上の所定のサイトに表示される画面にて、入力部２ａａにより測色計Ｓ１の測定値を入力する作業を行う。尚、この際、測色計Ｓ１の測定値は、端末装置２ａにおいて、これを入力することなく、測色計Ｓ１から送信部２ａｂを介して、直接、管理サーバー１へ送信されるように構成しても良い。
【００３５】
さらに、ユーザは、測色計補正用カラーチャートＰを指定された返送先に返送する作業を行う。
【００３６】
〔色見本測定値受信ステップ〕
一方、管理サーバー１においては、受信部１ｂが、端末装置２ａの送信部２ａｂから送信された測定値、即ち、測色計Ｓ１による測色計補正用カラーチャートＰの色彩や濃度に関する測定値を受信して、格納部１ａに、これが格納される（Ｓ０７）。
【００３７】
〔決定ステップ（補正式導出ステップ）〕
次に、管理サーバー１においては、補正式導出部１ｃが、格納部１ａに格納された、基準となる測色計Ｓ０による測色計補正用カラーチャートＰの色彩や濃度に関する基準値と、測色計Ｓ１による測色計補正用カラーチャートＰの色彩や濃度に関する測定値とに基づいて、複数種類の演算手法により、測色計Ｓ１による測色計補正用カラーチャートＰの色彩や濃度に関する測定値を基準となる測色計Ｓ０による測色計補正用カラーチャートＰの色彩や濃度に関する基準値に近似させる補正を行うための複数の補正式を導出する（Ｓ０８）。尚、当該補正式導出部１ｃは、この際、例えばＣＩＥ（Ｃｏｍｍｉｓｓｉｏｎ  Ｉｎｔｅｒｎａｔｉｏｎａｌｅ  ｄｅ  ｌ‘Ｅｃｌａｉｒａｇｅ：国際照明委員会）  Ｌ＊ａ＊ｂ＊表色系にて表現された測定値をＸＹＺ（三刺激値）表色系にて表現される測定値へ変換した上で、上述した複数の補正式を導出することが好ましい。これは、ＸＹＺ（三刺激値）表色系においては、測定値を常に正の値で表現することができ、測定値の補正を行うことが容易になるからである。但し、測色計Ｓ１の構成によっては、測定値がＸＹＺ（三刺激値）表色系にて算出されることがあり、このような場合には、上述した変換を行う必要はなくなる。
【００３８】
（変換手法の詳細）
ここで、上述したＣＩＥ（Ｃｏｍｍｉｓｓｉｏｎ  Ｉｎｔｅｒｎａｔｉｏｎａｌｅ  ｄｅ  ｌ‘Ｅｃｌａｉｒａｇｅ：国際照明委員会）  Ｌ＊ａ＊ｂ＊表色系からＸＹＺ（三刺激値）表色系へ測定値を変換する手法の詳細について、具体的に説明する。
【００３９】
Ｌ＊ａ＊ｂ＊表色系からＸＹＺ（三刺激値）表色系への変換式
例えば、Ｄ５０光源（印刷業界の標準色温度（５０００Ｋ））とした場合、（Ｌ、ａ、ｂ）と（Ｘ、Ｙ、Ｚ）との間には、
ｙ＝（Ｌ＋１６．０）／１１６．０
ｘ＝ａ／５００．０＋ｙ
ｚ＝ｙ−ｂ／２００．０
という関係式が成り立つ。
ここで、ｘｓ０、ｙｓ０、ｚｓ０＞０．００８８５６となる場合には、
ｘｓ０＝ｘ３
ｙｓ０＝ｙ３
ｚｓ０＝ｚ３とし、
また、ｘｓ０、ｙｓ０、ｚｓ０≦０．００８８５６となる場合には、
ｘｓ０＝〔ｘ−（１６．０／１１６．０）〕／７．７８７
ｙｓ０＝｛ｙ−（１６．０／１１６．０）｝／７．７８７
ｚｓ０＝〔ｚ−（１６．０／１１６．０）〕／７．７８７
として、
Ｘ＝ｘｓ０×０．９８０７２
Ｙ＝ｙｓ０×１．０００００
Ｚ＝ｚｓ０×１．１８２２５
に代入すると、Ｘ、Ｙ、Ｚの各要素が適正にＬ、ａ、ｂの値にて表現される。
【００４０】
（複数の演算手法の具体例）
ここで、上述した補正式導出部１ｃにより用いられる複数の演算手法の具体例について説明する。
【００４１】
補正式導出部１ｃは、例えば、特開平１１−１３２８４９号公報（段落〔００１５〕‐〔００５０〕、第１図乃至第５図）に開示される演算手法を含む、以下に記載する種々の演算手法により複数の補正式を導出する。
【００４２】
例１）回帰分析にて、２次関数の係数（α、β、γ）を求める手法
まず、Ｘ、Ｙ、Ｚの要素毎に基準となる測色計Ｓ０による測色計補正用カラーチャートＰの色彩や濃度に関する基準値と測色計Ｓ１による測色計補正用カラーチャートＰの色彩や濃度に関する測定値との誤差を求め、図５（Ａ）、（Ｂ）に示すように、測色計Ｓ１による測定値を横軸、基準となる測色計Ｓ０による測定値との誤差を縦軸として、各測定点毎にプロットしてグラフを作成し、各要素毎の測定値誤差の近似曲線を算出する。この近似曲線は、測色計Ｓ１による測定値をＸｕ、Ｙｕ、Ｚｕ、基準となる測色計Ｓ０による測定値との誤差をＤｘ（Ｘｕ）、Ｄｙ（Ｘｕ）、Ｄｚ（Ｚｕ）とすると、以下のように表すことができる。
【００４３】
その１：近似曲線が原点を通るとしたもの（図５（Ａ）に対応する）
Ｄｘ（Ｘｕ）＝Ｘｓ−Ｘｕ＝α（Ｘｕ＋β）２
Ｄｙ（Ｙｕ）＝Ｙｓ−Ｙｕ＝α（Ｘｕ＋β）２
Ｄｚ（Ｚｕ）＝Ｚｓ−Ｚｕ＝α（Ｘｕ＋β）２
ここで、α、βは、同一のサンプル測定における係数である。
【００４４】
その２：近似直線が必ずしも原点を通らないとしたもの（図５（Ｂ）に対応する）
Ｄｘ（Ｘｕ）＝Ｘｓ−Ｘｕ＝αＸｕ２＋βＸｕ＋γ
Ｄｙ（Ｙｕ）＝Ｙｓ−Ｙｕ＝αＹｕ２＋βＹｕ＋γ
Ｄｚ（Ｚｕ）＝Ｚｓ−Ｚｕ＝αＺｕ２＋βＺｕ＋γ
ここで、α、β、γは、同一のサンプル測定における係数である。
【００４５】
上記近似曲線について、Ｘ、Ｙ、Ｚの各要素毎に最小二乗法でα、β、γの値を求め、Ｘｕ＝、Ｙｕ＝、Ｚｕ＝に続く、Ｘｓ、Ｙｓ、Ｚｓの関数となる補正式を導出する。
【００４６】
例２）回帰分析にて、３×３のマトリクス係数（ａ００〜ａ２２）を求める手法
その１：切片なし
2004354196.tif 000003
ここで、Ｘｓ、Ｙｓ、Ｚｓは、基準となる測色計Ｓ０による測色計補正用カラーチャートＰの色彩や濃度に関する基準値であり、Ｘｕ、Ｙｕ、Ｚｕは、測色計Ｓ１による測色計補正用カラーチャートＰの色彩や濃度に関する測定値である。また、ａ００〜ａ２２は、同一のサンプル測定における係数である。
【００４７】
その２：切片あり
2004354196.tif 000004
ここで、Ｘｓ、Ｙｓ、Ｚｓは、基準となる測色計Ｓ０による測色計補正用カラーチャートＰの色彩や濃度に関する基準値であり、Ｘｕ、Ｙｕ、Ｚｕは、測色計Ｓ１による測色計補正用カラーチャートＰの色彩や濃度に関する測定値であり、ａ００〜ａ２２は、同一のサンプル測定における係数であり、ｂ１〜ｂ３は、同一のサンプル測定における定数である。
【００４８】
上記式の各々について、Ｘ、Ｙ、Ｚの各要素毎に、回帰分析によりａ００〜ａ２２やｂ１〜ｂ３の値を求め、以下に示す補正式を導出する。
【００４９】
その１：切片なし
2004354196.tif 000005
【００５０】
その２：切片あり
2004354196.tif 000006
【００５１】
例３）回帰分析にて、１次関数の係数（α、β）を求める手法
まず、Ｘ、Ｙ、Ｚの要素毎に基準となる測色計Ｓ０による測色計補正用カラーチャートＰの色彩や濃度に関する基準値と測色計Ｓ１による測色計補正用カラーチャートＰの色彩や濃度に関する測定値との誤差を求め、図６（Ａ）、（Ｂ）に示すように、測色計Ｓ１による測定値を横軸、基準となる測色計Ｓ０による測定値との誤差を縦軸として、各測定点毎にプロットしてグラフを作成し、各要素毎の測定値誤差の近似直線を算出する。この近似直線は、測色計Ｓ１による測定値をＸｕ、Ｙｕ、Ｚｕ、基準となる測色計Ｓ０による測定値との誤差をＤｘ（Ｘｕ）、Ｄｙ（Ｘｕ）、Ｄｚ（Ｚｕ）とすると、以下のように表すことができる。
【００５２】
その１：近似直線が原点を通るとしたもの（図６（Ａ）に対応する）
Ｄｘ（Ｘｕ）＝Ｘｓ−Ｘｕ＝αＸｕ
Ｄｙ（Ｙｕ）＝Ｙｓ−Ｙｕ＝αＹｕ
Ｄｚ（Ｚｕ）＝Ｚｓ−Ｚｕ＝αＺｕ
ここで、αは、同一のサンプル測定における係数である。
【００５３】
その２：近似直線が必ずしも原点を通らないとしたもの（図６（Ｂ）に対応する）
Ｄｘ（Ｘｕ）＝Ｘｓ−Ｘｕ＝αＸｕ＋β
Ｄｙ（Ｙｕ）＝Ｙｓ−Ｙｕ＝αＹｕ＋β
Ｄｚ（Ｚｕ）＝Ｚｓ−Ｚｕ＝αＺｕ＋β
ここで、α、βは、同一のサンプル測定における係数である。
【００５４】
上記近似直線について、Ｘ、Ｙ、Ｚの各要素毎に最小二乗法でα、βの値を求め、以下に示す補正式を導出する。
その１：近似直線が原点を通るとしたもの（図６（Ａ）に対応する）
Ｘｕ＝Ｘｓ／（α＋１）
Ｙｕ＝Ｙｓ／（α＋１）
Ｚｕ＝Ｚｓ／（α＋１）
その２近似直線が必ずしも原点を通らないとしたもの（図６（Ｂ）に対応する）
Ｘｕ＝（Ｘｓ−β）／（α＋１）
Ｙｕ＝（Ｙｓ−β）／（α＋１）
Ｚｕ＝（Ｚｓ−β）／（α＋１）
【００５５】
〔決定ステップ（選択ステップ）〕
さらに、管理サーバー１においては、選択部１ｄが、これら複数の補正式により補正された測色計Ｓ１による測色計補正用カラーチャートＰの色彩や濃度に関する各測定点における測定値と、基準となる測色計Ｓ０による測色計補正用カラーチャートＰの色彩や濃度に関する各測定点における基準値とを、再度、ＣＩＥＬ＊ａ＊ｂ＊表色系にて表現される値へ変換した上で、それらの差であるΔＥ＝｛（ΔＬ＊）２＋（Δａ＊）２＋（Δｂ＊）２｝１／２値を測定点毎に算出して、それらの平均値、若しくは、最大値が最小となる補正式を最も補正精度の良い補正式として選択する。
【００５６】
因みに、実際においては、上述した例２）と例３）とを比較した場合、基準となる測色計Ｓ０と測色計Ｓ１〜Ｓ３が異なる製品や機種である場合には、例３）による補正式の方が、補正精度が良くなる傾向にある。一方、基準となる測色計Ｓ０と測色計Ｓ１〜Ｓ３が同一の製品や機種である場合には、例２）による補正式の方が、補正精度が良くなる傾向にある。
【００５７】
〔補正式登録ステップ〕
図４に戻って、次に、管理サーバー１においては、登録部１ｅが、選択部１ｄにより選択された最も補正精度の良い補正式を登録する（Ｓ０９）。尚、この際、登録部１ｅは、選択部１ｄにより選択された最も補正精度の良い補正式を、基準となる測色計Ｓ０による基準値や測色計Ｓ１による測定値がＸＹＺ（三刺激値）表色系にて表現されるものとして登録するものとする。これは、上述したように、ＸＹＺ（三刺激値）表色系においては、測定値を常に正の値で表現することができ、測定値の補正を行うことが容易になるからである。
【００５８】
このように、当該測色計測定値管理システムにおいては、測色計Ｓ１〜Ｓ３の機種に依らず、測色計Ｓ１〜Ｓ３による測色計補正用カラーチャートＰの色彩や濃度に関する測定値を基準となる測色計Ｓ０による測色計補正用カラーチャートＰの色彩や濃度に関する基準値に近似させる補正を行うための複数の補正式を導出して、さらに、それらの中から最も補正精度の良い補正式を選択することができるので、管理者においては、測色計Ｓ１〜Ｓ３の測定値の誤差を適正に管理することができる。
【００５９】
〔補正式送信ステップ〕
ここまでの工程が終了すると、管理サーバー１においては、送信部１ｆが端末装置２ａに対して測色計Ｓ１の測定値の登録、より詳細には、測色計Ｓ１による測色計補正用カラーチャートＰの色彩や濃度に関する測定値を基準となる測色計Ｓ０による測色計補正用カラーチャートＰの色彩や濃度に関する基準値に補正する補正式の登録が完了した旨の通知を行う。
【００６０】
この際、管理サーバー１においては、補正式導出部１ｃが測色計Ｓ１〜Ｓ３による測色計補正用カラーチャートＰの色彩や濃度に関する測定値と基準となる測色計Ｓ０による測色計補正用カラーチャートＰの色彩や濃度に関する基準値との誤差を判断して、例えば、その誤差が規定値よりも大きい場合には、送信部１ｆが登録部１により登録された最も補正精度の良い補正式に関する情報を端末装置２ａに送信する。
【００６１】
〔補正式受信ステップ〕、〔補正式表示ステップ〕
一方、端末装置２ａにおいては、受信部２ａｃが管理サーバー１の送信部１ｆから送信された当該測色計Ｓ１の登録が完了した旨の通知を受信すると共に、送信があった場合には、この最も補正精度の良い補正式に関する情報も受信して、表示部２ａｄが、これら当該測色計Ｓ１の登録が完了した旨と当該測色計Ｓ１の測定値の基準値との誤差を最も補正精度良く補正する補正式に関する情報と、を表示する。
【００６２】
ここまでの工程が終了すると、ユーザにおいては、管理サーバー１において、測色計Ｓ１の測定値の登録が完了したことを確認することができると共に、送信があった場合には、測色計Ｓ１の測定値の基準値との誤差を最も補正精度良く補正する補正式に関する情報を取得することができる。よって、以降、その補正式に基づいて測色計Ｓ１の測定値を補正することで、基準となる測色計Ｓ０による測定値との誤差を解消することができる。
【００６３】
以上に説明した工程までが、本発明に係る測色計測定値管理システム及びその測色計測定値管理方法についての説明になるが、引き続いて、当該測色計測定値管理システム及びその測色計測定値管理方法を包含する本発明に係る色管理情報提供システム及びその色管理情報提供方法について説明する。但し、当該色管理情報提供システム及びその色管理情報提供方法においては、上述した〔補正式送信ステップ〕〜〔補正式表示ステップ〕までの工程は、省略することができる。
【００６４】
〔出力物測定値送信ステップ〕
図７に示すように、さらに、ユーザは、出力装置Ｃ１のキャリブレーションを行うべく、出力装置Ｃ１により、上述したターゲットを出力して（Ｓ１０）、測色計Ｓ１を用いて、そのターゲットの色彩や濃度を測定する（Ｓ１１）。さらに、ユーザは、端末装置２ａから管理サーバー１にアクセスすることで、上述したＷｅｂ上の所定のサイトに表示される画面にて、入力部２ａａにより測色計Ｓ１の測定値を入力する作業を行う。尚、この際、測色計Ｓ１の測定値は、端末装置２ａにおいて、これを入力することなく、測色計Ｓ１から送信部２ａｂを介して、直接、管理サーバー１へ送信されるように構成しても良い。
【００６５】
〔出力物測定値受信ステップ〕
一方、管理サーバー１においては、受信部１ｂが、端末装置２ａの送信部２ａｂから送信された測定値、即ち、測色計Ｓ１によるターゲットの色彩や濃度に関する測定値を受信する。その測定値は、登録部１ｅに登録される（Ｓ１２）。
【００６６】
〔算出ステップ〕、〔誤差登録ステップ〕
次に、管理サーバー１においては、算出部１ｇが、この測色計Ｓ１の測定値を、選択部１ｄにより選択された、最も補正精度の良い補正式によって補正する（Ｓ１３）。これにより、測色計Ｓ１による測定値と、基準となる測色計Ｓ０による測定値との誤差は解消されることになる。その補正値は、登録部１ｅに登録される（Ｓ１４）。
【００６７】
さらに、算出部１ｇは、Ｓ０３において、格納部１ａに基準値として格納されたターゲットの色彩や濃度の測定値と、Ｓ１３において、登録部１ｅに登録された測色計Ｓ１によるターゲットの色彩や濃度に関する測定値の補正値とを比較することで、その誤差を算出する。その誤差は、再度、ＣＩＥ  Ｌ＊ａ＊ｂ＊表色系にて表現される値へ変換され、ΔＥ＝｛（ΔＬ＊）２＋（Δａ＊）２＋（Δｂ＊）２｝１／２値として登録部１ｅに登録される（Ｓ１５）。
【００６８】
〔誤差送信ステップ〕
この際、算出部１ｇは、必要に応じて、診断レポートを作成して、送信部１ｆが、これを端末装置２ａに送信する（Ｓ１６）。
【００６９】
尚、此処に言う“診断レポート”とは、本発明の「色管理情報」に対応するものであって、具体的には、格納部１ａに基準値として格納されたターゲットの色彩や濃度の測定値と、Ｓ１２において、登録部１ｅにより登録された測色計Ｓ１によるターゲットの色彩や濃度に関する測定値の誤差であるΔＥ値の各測定点における値を平均したものである平均値、各測定点における値の中で最大のものである最大値、標準偏差、或いは、Ｌ＊ａ＊ｂ＊空間での色差分布、グレーバランス（＝Ｃ、Ｍ、Ｙの３色同値（例えば、Ｃ２０％、Ｍ２０％、Ｙ２０％）の評価）、これまでに登録された評価データからの推移（履歴管理）等が一覧表示された電子情報のことである。
【００７０】
〔誤差受信ステップ〕、〔誤差表示ステップ〕
一方、端末装置２ａにおいては、受信部２ａｃが、これを受信して、表示部２ａｄが、この診断レポートを表示する。
【００７１】
ユーザは、この診断レポートの内容、具体的には、格納部１ａに基準値として格納されたターゲットの色彩や濃度の測定値と、Ｓ１２において、登録部１ｅにより登録された測色計Ｓ１によるターゲットの色彩や濃度に関する測定値の誤差であるΔＥ値に基づいて、出力装置Ｃ１の各種調整を行うことで、出力物の色や濃度を所望の値に近似させる作業を行う。
【００７２】
尚、ここまでの工程を他の拠点に配置された測色計Ｓ２、Ｓ３及び出力装置Ｃ２、Ｃ３に関しても、同様に、各々のユーザが行うことで、全ての拠点に配置された出力装置Ｃ１〜Ｃ３に関して、その出力物の色彩や濃度を所定の値に近似させるキャリブレーションを適正に行うことができる。これにより、各拠点に設置された出力装置Ｃ１〜Ｃ３においては、同一の色彩や濃度を有する出力物を出力することが可能となる。
【００７３】
以上に説明したように、本実施形態における測色計測定値管理システム及びその測色計測定値管理方法によれば、管理サーバー１の補正式導出部１ｃが、格納部１ａに格納された基準となる測色計Ｓ０による測色計補正用カラーチャートＰの色彩や濃度に関する基準値と、受信部１ｂにより受信された測色計Ｓ１〜Ｓ３による測色計補正用カラーチャートＰの色彩や濃度に関する測定値とに基づいて、複数種類の演算手法により、測色計Ｓ１〜Ｓ３による測色計補正用カラーチャートＰの色彩や濃度に関する測定値を基準となる測色計Ｓ０による測色計補正用カラーチャートＰの色彩や濃度に関する基準値に近似させる補正を行うための複数の補正式を導出し、選択部１ｄが、これら複数の補正式により補正された測色計Ｓ１〜Ｓ３による測色計補正用カラーチャートＰの色彩や濃度に関する測定値と、基準となる測色計Ｓ０による測色計補正用カラーチャートＰの色彩や濃度に関する基準値との差であるΔＥ＝｛（ΔＬ＊）２＋（Δａ＊）２＋（Δｂ＊）２｝１／２値を算出して、その平均値、若しくは、最大値が最小となるものを最も補正精度の良い補正式として選択するので、管理者においては、測色計Ｓ１〜Ｓ３の測定値の誤差を適正に管理することができると共に、ユーザにおいては、各拠点において、その補正式に従って測色計Ｓ１〜Ｓ３の測定値の補正を行い、その補正された測定値に基づいて出力装置Ｃ１〜Ｃ３の調整を行うことで、複数の拠点に設置された出力装置Ｃ１〜Ｃ３のキャリブレーションを適切に行うことができる。
【００７４】
また、本実施形態における色管理情報提供システム及びその色管理情報提供方法によれば、上述した効果が得られることに加えて、管理サーバー１の算出部１ｇが、格納部１ａに格納された基準となる測色計Ｓ０によるターゲットの色彩や濃度に関する基準値と、受信部１ｂにより受信された測色計Ｓ１〜Ｓ３によるターゲットの色彩や濃度に関する測定値とに基づいて、測色計Ｓ１〜Ｓ３によるターゲットの色彩や濃度に関する測定値を、選択部１ｄが選択した最も補正精度の良い補正式により補正した補正値と、基準となる測色計Ｓ０によるターゲットの色彩や濃度に関する基準値との誤差であるΔＥ＝｛（ΔＬ＊）２＋（Δａ＊）２＋（Δｂ＊）２｝１／２値を算出して、登録部１ｅが、その誤差に関する情報を登録すると共に、送信部１ｆが、その誤差に関する情報を診断レポートとして端末装置２ａ〜２ｃに送信するので、管理者においては、測色計Ｓ１〜Ｓ３の測定値の誤差をより詳細に管理することができると共に、ユーザにおいては、各拠点において、その診断レポートに従って出力装置Ｃ１〜Ｃ３の調整を行うことで、複数の拠点に設置された出力装置Ｃ１〜Ｃ３のキャリブレーションを適切に行うことができる。
【００７５】
尚、本発明に係る測色計測定値管理システム及びその測色計測定値管理方法、色管理情報提供システム及びその色管理情報提供方法は、以上に説明した実施形態に限定されるものではなく、その要旨を逸脱することのない範囲内で、種々の変形が可能である。
【００７６】
例えば、上述した実施形態における色管理情報提供システム及びその色管理情報提供方法においては、基準となる測色計Ｓ０及び測色計Ｓ１〜Ｓ３は、その測定値がＣＩＥ  Ｌ＊ａ＊ｂ＊表示系、若しくは、ＸＹＺ表示系にて算出されることとしたが、この他にも、例えばＣＩＥ  Ｌ＊ｕ＊ｖ＊表示系等にて算出されることとしても良い。
【００７７】
また、測色計補正用カラーチャートＰは、ＤＣＣＰにより出力されることが好ましい旨を記載したが、この他にも、例えばプリンタや複写機等の出力装置により出力することとしても良い。
【００７８】
また、測色計補正用カラーチャートＰは、１つのものを各拠点に配置された測色計Ｓ１〜Ｓ３に対して、各々、郵送することとしたが、この他にも、１つのものを測色計Ｓ１〜Ｓ３に巡回させる。或いは、同一の色彩及び濃度に管理された複数を測色計Ｓ１〜Ｓ３に対して、各々、郵送することとしても良い。
【００７９】
また、測色計補正用カラーチャートＰは、全ての階調を測定対象とするのではなく、例えば、人の皮膚の色に近い色を再現する領域部分に限って、その測定を行うことにしても良い。
【００８０】
また、測色計補正用カラーチャートＰは、Ｃ、Ｍ、Ｙ、Ｋの少なくとも１つを含み、２以上を含む場合には、少なくとも１つの階調を段階的に変化させて、残りは一定とした複数色からなるカラーチャートであれば良い。
【００８１】
【発明の効果】
以上に説明したように、本発明に係る測色計測定値管理システム及び測色計測定値管理方法によれば、管理サーバーにおいて、基準となる測色計により測定された測色計補正用カラーチャートの色彩や濃度に関する基準値と、各拠点に配置された測色計による測色計補正用カラーチャートの色彩や濃度に関する測定値とに基づいて、複数種類の演算手法により、各拠点に配置された測色計による測色計補正用カラーチャートの色彩や濃度に関する測定値を基準となる測色計による測色計補正用カラーチャートの色彩や濃度に関する基準値に補正する複数の補正式が導出され、さらに、これら複数の補正式により補正された各拠点の測色計による測色計補正用カラーチャートの色彩や濃度に関する測定値と、基準となる測色計による測色計補正用カラーチャートの色彩や濃度に関する基準値との誤差が算出され、その平均値が最小となるものが最も補正精度の良い補正式として選択されるので、管理者においては、各拠点の測色計の測定値の誤差を適正に管理することができると共に、ユーザにおいては、各拠点において、その補正式に従って測色計の測定値の補正を行い、その補正された測定値に基づいて出力装置の調整を行うことで、複数の拠点に設置された出力装置のキャリブレーションを適切に行うことができる。
【００８２】
また、本発明に係る色管理情報提供システム及びその色管理情報提供方法によれば、上述した効果が得られることに加えて、管理サーバーにおいて、基準となる測色計により測定された出力物の色彩や濃度に関する基準値と、各拠点に配置された測色計による出力物の色彩や濃度に関する測定値とに基づいて、各拠点に配置された測色計による出力物の色彩や濃度に関する測定値を、最も補正精度の良い補正式により補正した補正値と、基準となる測色計による出力物の色彩や濃度に関する基準値との誤差が算出されて、その誤差に関する情報が色管理情報として各拠点に配置された端末装置に送信されるので、管理者においては、各拠点に配置された測色計の測定値の誤差をより詳細に管理することができると共に、ユーザにおいては、各拠点において、その色管理情報に従って出力装置の調整を行うことで、複数の拠点に設置された出力装置のキャリブレーションを適切に行うことができる。
【図面の簡単な説明】
【図１】本発明に係る色管理情報提供システムのシステム構成を示す説明図である。
【図２】測色計補正用カラーチャートの構成を示す説明図である。
【図３】図１に示す色管理情報提供システムの管理サーバーにおいて、基準となる測色計によって測定されたターゲットの測定値が登録される流れを説明するためのフローチャートである。
【図４】図１に示す色管理情報提供システムにおいて、一拠点に配置された測色計によって測定された測色計補正用カラーチャートの測定値が登録されて、これを基準となる測色計によって測定された測色計補正用カラーチャートの測定値に近づけるための補正式が導出されて、その補正式が登録されるまでの流れを説明するためのフローチャートである。
【図５】図１に示す色管理情報提供システムの補正式導出部において、回帰分析により、補正式である２次関数の係数が求められる過程を説明するための説明図である。
【図６】図１に示す色管理情報提供システムの補正式導出部において、回帰分析により、補正式である１次関数の係数が求められる過程を説明するための説明図である。
【図７】図１に示す色管理情報提供システムにおいて、一拠点に配置された測色計によって測定されたターゲットの測定値が登録されて、その測定値と基準となる測色計によって測定されたターゲットの測定値との誤差が算出されて、その診断レポートが作成されるまでの流れを説明するためのフローチャートである。
【符号の説明】
１  管理サーバー
１ａ  格納部
１ｂ  受信部
１ｃ  補正式導出部
１ｄ  選択部
１ｅ  登録部
１ｆ  送信部
１ｇ  算出部
２ａ〜２ｃ  端末装置
２ａａ  入力部
２ａｂ  送信部
２ａｃ  受信部
２ａｄ  表示部
Ｃ１〜Ｃ３  出力装置
Ｎ  ネットワーク
Ｐ  測色計補正用カラーチャート
Ｓ０  基準となる測色計
Ｓ１〜Ｓ３  測色計
【図１】
2004354196.tif 000007
【図２】
2004354196.tif 000008
【図３】
2004354196.tif 000009
【図４】
2004354196.tif 000010
【図５】
2004354196.tif 000011
【図６】
2004354196.tif 000012
【図７】
2004354196.tif 000013